(57)【要約】      （修正有）【課題】長さが異なるフレキシブルフラットケーブルに適用でき、サイズの異なるＬＥＤバックライトモジュールを設計できる光源接続モジュールと光源コネクタを提供する。【解決手段】光源接続モジュールは、蓋体と、フレキシブルフラットケーブル２及び第１の光源コネクタ１０を備える。フレキシブルフラットケーブルは、導体を含む。導体は、信号をＬＥＤユニット４２、４４に伝送するために、接触電極を選択的に形成する。第１の光源コネクタ１０は、基板と、電極及び留め具を含む。基板にフレキシブルフラットケーブルが設けられる。基板の両側に留め具が設けられ、電極が基板に設けられる。電極は、一端がＬＥＤユニットに接続され、他端が接触電極の一端又は直接的に導体に接続される。フレキシブルフラットケーブルの接触電極の一部を覆うために、蓋体が第１の光源コネクタ１０に接合される。【選択図】図１
0003230082.tif 000002
【実用新案登録請求の範囲】
【請求項１】
ＬＥＤユニットに適用される光源接続モジュールであって、
蓋体と、
信号を前記ＬＥＤユニットに伝送するための導体を有するフレキシブルフラットケーブルと、
前記フレキシブルフラットケーブルが設けられた基板と、前記基板に設けられた電極及び前記基板の両側に設けられた留め具を有する第１の接続ユニットと、
を備え、
前記導体は、接触電極を介して前記信号を前記ＬＥＤユニットに伝送するために、前記接触電極を選択的に形成し、
前記電極は、一端が前記ＬＥＤユニットに接続され、他端が前記接触電極の一端又は直接的に前記導体に接続され、
前記フレキシブルフラットケーブルが有する前記接触電極の一部を覆うために、前記蓋体は前記第１の接続ユニットと接合されることを特徴とする光源接続モジュール。
【請求項２】
前記蓋体には、突起が形成され、
前記留め具には、破孔が形成され、
前記蓋体を前記第１の接続ユニットに固定するために、前記突起は前記破孔と接合され、又は、
前記蓋体には、前記破孔が形成され、
前記留め具には、前記突起が形成され、
前記蓋体を前記第１の接続ユニットに固定するために、前記破孔は前記突起と接合されることを特徴とする請求項１に記載の光源接続モジュール。
【請求項３】
前記留め具の一部は、前記ＬＥＤユニットに固定されることを特徴とする請求項１に記載の光源接続モジュール。
【請求項４】
前記蓋体には、破孔が形成され、
前記留め具には、弾性片が形成され、
前記蓋体を前記第１の接続ユニットに固定するために、前記破孔は前記弾性片と接合され、又は、
前記蓋体には、前記弾性片が形成され、
前記基板には、前記破孔が形成され、
前記蓋体を前記第１の接続ユニットに固定するために、前記弾性片は前記破孔と接合されることを特徴とする請求項１に記載の光源接続モジュール。
【請求項５】
前記電極は、複数であり、
リードを接続するために、又は前記リードと前記ＬＥＤユニットとを接続するために、前記複数の電極は、それぞれ前記基板の対応する側辺に設けられることを特徴とする請求項１に記載の光源接続モジュール。
【請求項６】
前記電極は、複数であり、
前記リードを接続するために、又は前記リードと前記ＬＥＤユニットとを接続するために、前記複数の電極は、それぞれ前記基板の同一の側辺に設けられることを特徴とする請求項１に記載の光源接続モジュール。
【請求項７】
前記電極の一端は、前記導体を覆って、前記導体と前記ＬＥＤユニットとを電気的に接続することを特徴とする請求項１に記載の光源接続モジュール。
【請求項８】
前記蓋体は、外力でピックアップための操作部を形成することを特徴とする請求項１に記載の光源接続モジュール。
【請求項９】
前記基板の接合口を介して、一端が回路基板に接続され、他端が前記導体に電気的に接続される第２の接続ユニットを更に備えることを特徴とする請求項１に記載の光源接続モジュール。
【請求項１０】
ＬＥＤユニット及びフレキシブルフラットケーブルに適用される光源コネクタであって、
蓋体と、
前記フレキシブルフラットケーブルが設けられた基板と、前記基板に設けられた電極及び前記基板の両側に設けられた留め具を有する第１の接続ユニットと、
を備え、
前記電極は、一端が前記ＬＥＤユニットに接続され、他端が前記接触電極の一端又は直接的に前記導体に接続され、
前記フレキシブルフラットケーブルが有する前記接触電極の一部を覆うために、前記蓋体は前記第１の接続ユニットと接合されることを特徴とする光源コネクタ。
【考案の詳細な説明】
【技術分野】
【０００１】
本考案は、コネクタの技術分野に関わり、特にＬＥＤ源に適用される光源接続モジュール及びコネクタに関するものである。
【背景技術】
【０００２】
従来、液晶表示パネルは、液晶層に加えて、主にＬＥＤ層（或いはバックライトプレートと呼ぶ）により構成される。液晶層は、画面を表示するために，
ＬＥＤ層を透過する必要がある。
【０００３】
従来の技術において、バックライト層は、複数組のＬＥＤダイオードモジュールにより構成され、当該複数組のＬＥＤダイオードは、液晶層の下に分布され、ＬＥＤダイオードにより生成した面光源によって液晶層に作用する。
【考案の概要】
【考案が解決しようとする課題】
【０００４】
しかしながら、複数組のＬＥＤダイオードモジュール間は、フラットケーブルを介して接続され、液晶表示パネルのサイズが異なるため、ＬＥＤダイオードモジュールは、サイズに合わせてカスタマイズする必要があり、よって、回路レイアウト設計には制限がある。さらに、ＬＥＤダイオードモジュールが破損した場合、グループ全体を交換する必要があるため、コストが高く、交換も困難である。
【０００５】
以上の問題に対して、本考案は、従来の技術における欠陥を解決するための光源接続モジュール及びコネクタを提供する。
【課題を解決するための手段】
【０００６】
本考案の第一の目的は、ＬＥＤユニットに適用される光源接続モジュールを提供し、フレキシブルフラットケーブルの任意の位置で容易に配置できる。
【０００７】
本考案の第二の目的は、前記光源接続モジュールにより、無制限の直列接続方式を介してサイズが異なるＬＥＤユニットに適用されることである。
【０００８】
本考案の第三の目的は、前記光源接続モジュールにより、組み立てとメンテナンスを便利にするために、蓋体が取り外し可能である。
【０００９】
本考案の第四の目的は、前記光源接続モジュールにより、接続ユニットは、フレキシブルフラットケーブルの末端、接続及び外接のところに設けられてもよい、接続のところの末端は、末端のところであり、外接のところは、外部の制御ユニット、電力ユニット又は別の接続ユニットを接続するためのところである。
【００１０】
本考案の第五の目的は、シングルエンド又はダブルエンドのＬＥＤユニット、又は外部の制御ユニット、電力ユニット又は別の接続ユニットを接続できる光源コネクタを提供する。
【００１１】
以上の目的及び他の目的を達成するために、本考案は、ＬＥＤユニットに適用される光源接続モジュールを提供する。前記光源接続モジュールは、蓋体と、フレキシブルフラットケーブル及び第１の接続ユニットを備える。前記フレキシブルフラットケーブルは、導体を含む。前記導体は、信号を前記ＬＥＤユニットに伝送できる。また、前記導体は、接触電極を介して信号を前記ＬＥＤユニットに伝送できるために、前記接触電極を選択的に形成する。前記第１の接続ユニットは、基板と、電極及び留め具を含む。前記基板には、前記フレキシブルフラットケーブルが設けられる。前記基板の両側には前記留め具が設けられ、前記電極が前記基板に設けられる。前記電極は、一端が前記ＬＥＤユニットに接続され、他端が前記接触電極の一端又は直接的に前記導体に接続されることができる。前記フレキシブルフラットケーブルが有する前記接触電極の一部を覆うために、前記蓋体は、前記第１の接続ユニットと接合される。
【００１２】
以上の目的及び他の目的を達成するために、本考案は、ＬＥＤユニット及びフレキシブルフラットケーブルに適用される光源接続モジュールを提供する。前記光源接続モジュールは、蓋体及び第１の接続ユニットを備える。前記第１の接続ユニットは、基板と、電極及び留め具を含む。前記フレキシブルフラットケーブルは、前記基板に設けられてもよい。前記基板の両側には前記留め具が設けられ、前記電極が前記基板に設けられる。また、前記電極は、一端が前記ＬＥＤユニットに接続され、他端が接触電極の一端又は直接的に導体に接続されることができる。更に前記フレキシブルフラットケーブルが有する前記接触電極の一部を覆うために、前記蓋体は、前記第１の接続ユニットと接合される。
【００１３】
従来の技術と比較して、本考案の光源接続モジュールは、異なる接続ユニットを提供し、長さが異なるフレキシブルフラットケーブルに適用できて、更にサイズの変化に応じてバックライトモジュールの設計を行うことができる。また、本考案のコネクタは、フレキシブルフラットケーブルとＬＥＤユニット（例えば、ＬＥＤダイオードモジュール）とのモジュールブリッジを提供して、配置とメンテナンスを容易にすることができる。
【図面の簡単な説明】
【００１４】
【図１】図１は本考案の実施例にかかる光源接続モジュールの構造を示す図である。
【図２】図２は本考案の図１にかかる第１の光源コネクタの構造を示す図である。
【図３】図３（ａ）は本考案の図２にかかる第１のコネクタの構造を示す図である。（ｂ）は本考案の図１にかかるフレキシブルフラットケーブルの構造を示す図である。（ｃ）は本考案の図２にかかるＬＥＤユニットが電極及び留め具に接合した構造を示す図である。
【図４】図４は本考案の図１にかかる第２の光源コネクタの構造を示す図である。
【図５】図５（ａ）は本考案の図４にかかる第１のコネクタの構造を示す図である。（ｂ）は本考案の図１にかかるフレキシブルフラットケーブルの構造を示す図である。（ｃ）は本考案の図４にかかるＬＥＤユニットが電極及び留め具に接合した構造を示す図である。
【図６】図６は本考案の図１にかかる第３の光源コネクタの構造を示す図である。
【図７】図７（ａ）は本考案の図６にかかる基板がフレキシブルフラットケーブルに接合した構造を示す図である。（ｂ）は本考案の図１にかかる基板の構造を示す図である。（ｃ）は本考案の図６にかかる第２の接続ユニットの構造を示す図である。
【図８】図８は本考案の図２にかかる第１のコネクタがＬＥＤユニット及びフレキシブルフラットケーブルに接合した構造を示す図である。
【図９】図９は本考案の図６にかかる第１のコネクタがＬＥＤユニット及びフレキシブルフラットケーブルに接合した構造を示す図である。
【考案を実施するための形態】
【００１５】
本考案の目的、特徴及び効果を十分に理解するために、後述の実施例及び図面に基づいて、本考案を説明する。
【００１６】
本考案において、「１つ」を使用して本明細書に記載されるユニット、デバイスを説明する。特に指摘しない限り、このような説明は、１つ、少なくとも１つを含むと理解され、かつ単数も同時に複数を含む。
【００１７】
図１は本考案の実施例にかかる光源接続モジュールの構造を示す図である。図１において、前記光源接続モジュールは、フレキシブルフラットケーブル２と、第１の光源コネクタ１０と、第２の光源コネクタ１２及び第３の光源コネクタ１４により構成される。前記フレキシブルフラットケーブル２の長さ及び各光源コネクタ１０、１２、１４の数は制限されず、ここで記載された数及び長さは、説明しやすいために使用される。また、前記各光源コネクタ１０、１２、１４間の前記フレキシブルフラットケーブル２は、連続的又は分離的であってもよい。前記フレキシブルフラットケーブル２は、導体２２を含む。前記導体２２は、信号（電力信号、制御信号など）をＬＥＤユニット４２、４４に伝送できる。別の実施例では、前記導体２２は、接触電極を介して信号を前記ＬＥＤユニット４２、４４に伝送できるために、前記接触電極を更に形成できる。また、本実施例では、前記ＬＥＤユニット４２、４４はダブルエンドを例に説明するが、別の実施例では、前記ＬＥＤユニット４２、４４はダブルエンドからシングルエンドに変更されてもよい。
【００１８】
図１において、光源コネクタ１０は、フレキシブルフラットケーブル２を１イン１アウトにするための両端出口のタイプである。光源コネクタ１２は、前記フレキシブルフラットケーブル２の末端に設けられたシングルエンドタイプ（又は末端タイプと呼ぶ）でる。光源コネクタ１４は、外部の回路基板８と、電力ユニット（例えば電源供給装置）又は制御ユニット（例えばバックライトモジュールの駆動回路）を接続するための外部接続タイプである。別の実施例では、前記光源コネクタ１４は、更に筐体６にロックされる。
【００１９】
図２は本考案の図１にかかる光源コネクタの第１の実施構造を示す図である。光源コネクタ１０は、第１の接続ユニット１０２及び蓋体１０４を含む。
【００２０】
図３（ａ）は本考案の図２にかかる第１のコネクタの構造を示す図である。図３（ａ）では、第１の接続ユニット１０２は、基板１０２２と、電極１０２４及び留め具１０２６を更に含む。
【００２１】
前記基板１０２２の両側には前記留め具１０２６が設けられ、前記電極１０２４が前記基板１０２２に設けられる。ここで、前記留め具１０２６及び前記電極１０２４の数は四つを例に説明するが、別の実施例において、前記数は制限されなくてもよい。また、各電極１０２４は、一端がＬＥＤユニット４２、４４に接続され、他端が後述の接触電極２４２に接続されてもよい。別の実施例において、蓋体１０４には突起１０４２が形成され、前記留め具１０２６には破孔１０２８が形成される。前記突起１０４２と前記破孔１０２８との接合により、前記蓋体１０４を第１の接続ユニット１０２に固定することができる。更に別の実施例において、蓋体には破孔が形成され及び留め具には突起が形成されてもよい、且つ前記蓋体１０４を前記第１の接続ユニット１０２に固定するために、前記破孔は前記突起と接合される。
【００２２】
基板１０２２にはフレキシブルフラットケーブル２が設けられ、図３（ｂ）は本考案の図１にかかるフレキシブルフラットケーブルの構造を示す図である。図３（ｂ）では、説明しやすいために、フレキシブルフラットケーブル２を第１のリードセグメント２４と呼び、当該第１のリードセグメント２４とは、第１の接続ユニット１０２に適用された部分を指す。前記第１のリードセグメント２４は、前記フレキシブルフラットケーブル２の一箇所に位置し、前記フレキシブルフラットケーブル２は、接触電極２４２及び位置決め孔２４４を更に含む。前記接触電極２４２は、リード２２の両端が電気的に接続されていないように、前記リード２２を切断する。本実施例において、前記接触電極２４２はサンドイッチ構造を採用する。別の実施例では、前記接触電極２４２は他の形態であってもよい。前記接触電極２４２は、電極１０２４を挟持してもよい。また、前記位置決め孔２４４は、前記フレキシブルフラットケーブル２を基板１０２２に安定的に設置できる。
【００２３】
図３（ｃ）は本考案の図２にかかるＬＥＤユニットが電極及び留め具に接合された構造を示す図である。図３（ｃ）において、留め具１０２６はＬＥＤユニット４２、４４に固定され、別の実施例では、前記留め具１０２６は、固定に加えて接地されてもよい。電極１０２４の一端はＬＥＤユニット４２、４４に接続されて、電極１０２４の他端からの信号（例えば電力信号又は駆動信号）を受信する。
【００２４】
図２を参照して、蓋体１０４は第１の接続ユニット１０２に接合された後、保護とメンテナンスを便利にするために、前記蓋体１０４と前記第１の接続ユニット１０２は、フレキシブルフラットケーブルが有する接触電極２４２の一部を覆う。
【００２５】
図４は本考案の図１にかかる第２の光源コネクタの構造を示す図である。図４では、光源コネクタ１２は、第１の接続ユニット１２２及び蓋体１２４を含む。本実施例と前述の実施例との差は、本実施例がフレキシブルフラットケーブル２の末端のところに適用される。
【００２６】
図５（ａ）は本考案の図４にかかる第１のコネクタの構造を示す図である。図５（ａ）では、第１の接続ユニット１２２は、基板１２２２と、電極１２２４及び留め具１２２６を更に含む。
【００２７】
前記基板１２２２の両側には前記留め具１２２６が設けられ、前記電極１２２４が前記基板１２２２に設けられる。ここで、前記留め具１２２６と前記電極１２２４の数は４つを例に説明するが、別の実施例では、前記数は制限されない。また、各電極１２２４は、一端がＬＥＤユニット４２、４４に接続され、他端が後述の接触電極２６２に接続されてもよい。更に別の実施例では、蓋体１２４には突起１２４２が形成され、前記留め具１２２６には破孔１２２８が形成される。前記突起１２４２と前記破孔１２２８との接合により、前記蓋体１２４を第１の接続ユニット１２２に固定することができる。更に別の実施例では、前記蓋体１２４には破孔が形成され、前記留め具１０２６には突起が形成されてもよい。前記破孔と前記突起との接合により、前記蓋体１２４を第１の接続ユニット１２２に固定することができる。
【００２８】
基板１２２２にはフレキシブルフラットケーブル２が設けられる。図５（ｂ）は本考案の図１にかかるフレキシブルフラットケーブルの構造を示す図である。図５（ｂ）では、説明しやすいために、フレキシブルフラットケーブル２を第２のリードセグメント２６と呼び、当該第２のリードセグメント２６とは、第１の接続ユニット１２２に適用された部分を指す。前記第２のリードセグメント２６は、前記フレキシブルフラットケーブル２の一箇所に位置し、前記フレキシブルフラットケーブル２は、接触電極２６２及び位置決め孔２６４を更に含む。本実施例において、前記接触電極２６２はサンドイッチ構造を採用する。別の実施例では、前記接触電極２６２は他の形態であってもよい。前記接触電極２６２は、電極１２２４を挟持してもよい。また、前記位置決め孔２６４は、前記フレキシブルフラットケーブル２を前記基板１２２２に安定的に設置できる。
【００２９】
図５（ｃ）は本考案の図４にかかるＬＥＤユニットが電極及び留め具に接合された構造を示す図である。図５（ｃ）において、留め具１２２６はＬＥＤユニット４２、４４に固定され、別の実施例では、前記留め具１２２６は、固定に加えて接地されてもよい。電極１２２４の一端は前記ＬＥＤユニット４２、４４に接続されて、電極１２２４の他端からの信号（例えば電力信号又は駆動信号）を受信する。
【００３０】
図８を参照して、蓋体１０４は第１の接続ユニット１０２に接合された後、保護とメンテナンスを便利にするために、前記蓋体１０４と前記第１の接続ユニット１０２は、フレキシブルフラットケーブルが有する接触電極２４２の一部を覆う。
【００３１】
図６は本考案の図１にかかる第３の光源コネクタの構造を示す図である。図６では、光源コネクタ１４は、第１の接続ユニット１４２及び蓋体１４４を含む。本実施例と前述の実施例との差は、本実施例がフレキシブルフラットケーブル２が回路基板８を接続するためのところに適用される。
【００３２】
図７（ａ）及び図７（ｂ）を参照する。図７（ａ）は本考案の図６にかかる基板がフレキシブルフラットケーブルに接合した構造を示す図である。図７（ｂ）は本考案の図１にかかる基板の構造を示す図である。
【００３３】
第１の接続ユニット１４２は、基板１４２２と、電極１４２４及び留め具１４２６を更に含む。
【００３４】
前記基板１４２２の両側には前記留め具１４２６が設けられ、前記電極１４２４が前記基板１４２２に設けられる。ここで、前記留め具１４２６及び前記電極１４２４の数は四つを例に説明するが、別の実施例において、前記数は制限されなくてもよい。また、各電極１４２４の一端は、直接的に導体２２に接続される。
【００３５】
別の実施例において、蓋体１４４には破孔１４４２が形成され、留め具１４２６には弾性片が形成される。前記破孔１４４２と前記留め具１４２６により、前記蓋体１４４を第１の接続ユニット１４２に固定することができる。更に別の実施例において、蓋体１４４には弾性片が形成され及び前記留め具１４２６には破孔が形成されてもよい、且つ前記蓋体１４４を前記第１の接続ユニット１４２に固定するために、前記破孔は前記弾性片と接合される。
【００３６】
前記基板１４２２にはフレキシブルフラットケーブル２が設けられる。フレキシブルフラットケーブル２を第３のリードセグメント２８と呼び、当該第３のリードセグメント２８とは、第１の接続ユニット１４２に適用された部分を指す。前記第３のリードセグメント２８は、前記フレキシブルフラットケーブル２の一箇所に位置し、前記フレキシブルフラットケーブル２は、導体２２を電極１４２４に露出させ、前記導体２２が前記電極１４２４に電気的に接続される。
【００３７】
図７（ｃ）は本考案の図６にかかる第２の接続ユニットの構造を示す図である。図７（ｃ）では、第２の接続ユニット１６は、基板１４２２の接合口１４２８を介して、一端１６２が回路基板８に接続され、他端１６４が導体２２に電気的に接続される。
【００３８】
図９を参照して、蓋体１４４は第１の接続ユニット１４２に接合された後、保護とメンテナンスを便利にするために、前記蓋体１４４と前記第１の接続ユニット１４２は、フレキシブルフラットケーブルが有する接触電極２４２の一部を覆う。
【００３９】
前記実施例において、外力でピックアップできるように、蓋体は操作部を更に形成してもよい。例えば、機械の掴みやすいために、前記操作部は前記蓋体の両側に形成される。
【００４０】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００４１】
２…フレキシブルフラットケーブル
２２…導体
４２、４４…ＬＥＤユニット
６…筐体
８…回路基板
１０…第１の光源コネクタ
１０２、１２２、１４２…第１の接続ユニット
１０２２、１２２２、１４２２…基板
１０２４、１２２４、１４２４…電極
１０２６、１２２６、１４２６…留め具
１４２８…接合口
１０４、１２４、１４４…蓋体
１０４２、１２４２…突起
１０２８、１２２８、１４４２…破孔
１２…第２の光源コネクタ
１４…第３の光源コネクタ
２４…第１のリードセグメント
２６…第２のリードセグメント
２８…第３のリードセグメント
２４２、２６２…接触電極
２４４、２６４…位置決め孔
【図１】
0003230082.tif 000003
【図２】
0003230082.tif 000004
【図３】
0003230082.tif 000005
【図４】
0003230082.tif 000006
【図５】
0003230082.tif 000007
【図６】
0003230082.tif 000008
【図７】
0003230082.tif 000009
【図８】
0003230082.tif 000010
【図９】
0003230082.tif 000011
【手続補正書】
【提出日】令和2年6月5日(2020.6.5)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤユニットに適用される光源接続モジュールであって、
蓋体と、
信号を前記ＬＥＤユニットに伝送するための導体を有するフレキシブルフラットケーブルと、
前記フレキシブルフラットケーブルが設けられた基板と、前記基板に設けられた電極及び前記基板の両側に設けられた留め具を有する第１の接続ユニットと、
を備え、
前記導体は、接触電極を介して前記信号を前記ＬＥＤユニットに伝送するために、前記接触電極を選択的に形成し、
前記電極は、一端が前記ＬＥＤユニットに接続され、他端が前記接触電極の一端又は直接的に前記導体に接続され、
前記フレキシブルフラットケーブルが有する前記接触電極の一部を覆うために、前記蓋体は前記第１の接続ユニットと接合されることを特徴とする光源接続モジュール。
【請求項２】
前記蓋体には、突起が形成され、
前記留め具には、破孔が形成され、
前記蓋体を前記第１の接続ユニットに固定するために、前記突起は前記破孔と接合され、又は、
前記蓋体には、前記破孔が形成され、
前記留め具には、前記突起が形成され、
前記蓋体を前記第１の接続ユニットに固定するために、前記破孔は前記突起と接合されることを特徴とする請求項１に記載の光源接続モジュール。
【請求項３】
前記留め具の一部は、前記ＬＥＤユニットに固定されることを特徴とする請求項１に記載の光源接続モジュール。
【請求項４】
前記蓋体には、破孔が形成され、
前記留め具には、弾性片が形成され、
前記蓋体を前記第１の接続ユニットに固定するために、前記破孔は前記弾性片と接合され、又は、
前記蓋体には、前記弾性片が形成され、
前記基板には、前記破孔が形成され、
前記蓋体を前記第１の接続ユニットに固定するために、前記弾性片は前記破孔と接合されることを特徴とする請求項１に記載の光源接続モジュール。
【請求項５】
前記電極は、複数であり、
リードを接続するために、又は前記リードと前記ＬＥＤユニットとを接続するために、前記複数の電極は、それぞれ前記基板の対応する側辺に設けられることを特徴とする請求項１に記載の光源接続モジュール。
【請求項６】
前記電極は、複数であり、
リードを接続するために、又は前記リードと前記ＬＥＤユニットとを接続するために、前記複数の電極は、それぞれ前記基板の同一の側辺に設けられることを特徴とする請求項１に記載の光源接続モジュール。
【請求項７】
前記電極の一端は、前記導体を覆って、前記導体と前記ＬＥＤユニットとを電気的に接続することを特徴とする請求項１に記載の光源接続モジュール。
【請求項８】
前記蓋体は、外力でピックアップための操作部を形成することを特徴とする請求項１に記載の光源接続モジュール。
【請求項９】
前記基板の接合口を介して、一端が回路基板に接続され、他端が前記導体に電気的に接続される第２の接続ユニットを更に備えることを特徴とする請求項１に記載の光源接続モジュール。
【請求項１０】
ＬＥＤユニット及びフレキシブルフラットケーブルに適用される光源コネクタであって、
蓋体と、
前記フレキシブルフラットケーブルが設けられた基板と、前記基板に設けられた電極及び前記基板の両側に設けられた留め具を有する第１の接続ユニットと、
を備え、
前記電極は、一端が前記ＬＥＤユニットに接続され、他端が接触電極の一端又は直接的に前記導体に接続され、
前記フレキシブルフラットケーブルが有する前記接触電極の一部を覆うために、前記蓋体は前記第１の接続ユニットと接合されることを特徴とする光源コネクタ。
【手続補正書】
【提出日】令和2年7月7日(2020.7.7)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤユニットに適用される光源接続モジュールであって、
蓋体と、
信号を前記ＬＥＤユニットに伝送するための導体を有するフレキシブルフラットケーブルと、
前記フレキシブルフラットケーブルが設けられた基板と、前記基板に設けられた電極及び前記基板の両側に設けられた留め具を有する第１の接続ユニットと、
を備え、
前記導体は、接触電極を介して前記信号を前記ＬＥＤユニットに伝送するために、前記接触電極を選択的に形成し、
前記電極は、一端が前記ＬＥＤユニットに接続され、他端が前記接触電極の一端又は直接的に前記導体に接続され、
前記フレキシブルフラットケーブルが有する前記接触電極の一部を覆うために、前記蓋体は前記第１の接続ユニットと接合されることを特徴とする光源接続モジュール。
【請求項２】
前記蓋体には、突起が形成され、
前記留め具には、破孔が形成され、
前記蓋体を前記第１の接続ユニットに固定するために、前記突起は前記破孔と接合され、又は、
前記蓋体には、前記破孔が形成され、
前記留め具には、前記突起が形成され、
前記蓋体を前記第１の接続ユニットに固定するために、前記破孔は前記突起と接合されることを特徴とする請求項１に記載の光源接続モジュール。
【請求項３】
前記留め具の一部は、前記ＬＥＤユニットに固定されることを特徴とする請求項１に記載の光源接続モジュール。
【請求項４】
前記蓋体には、破孔が形成され、
前記留め具には、弾性片が形成され、
前記蓋体を前記第１の接続ユニットに固定するために、前記破孔は前記弾性片と接合され、又は、
前記蓋体には、前記弾性片が形成され、
前記基板には、前記破孔が形成され、
前記蓋体を前記第１の接続ユニットに固定するために、前記弾性片は前記破孔と接合されることを特徴とする請求項１に記載の光源接続モジュール。
【請求項５】
前記電極は、複数であり、
リードを接続するために、又は前記リードと前記ＬＥＤユニットとを接続するために、前記複数の電極は、それぞれ前記基板の対応する側辺に設けられることを特徴とする請求項１に記載の光源接続モジュール。
【請求項６】
前記電極は、複数であり、
前記リードを接続するために、又は前記リードと前記ＬＥＤユニットとを接続するために、前記複数の電極は、それぞれ前記基板の同一の側辺に設けられることを特徴とする請求項１に記載の光源接続モジュール。
【請求項７】
前記電極の一端は、前記導体を覆って、前記導体と前記ＬＥＤユニットとを電気的に接続することを特徴とする請求項１に記載の光源接続モジュール。
【請求項８】
前記蓋体は、外力でピックアップための操作部を形成することを特徴とする請求項１に記載の光源接続モジュール。
【請求項９】
前記基板の接合口を介して、一端が回路基板に接続され、他端が前記導体に電気的に接続される第２の接続ユニットを更に備えることを特徴とする請求項１に記載の光源接続モジュール。
【請求項１０】
ＬＥＤユニット及びフレキシブルフラットケーブルに適用される光源コネクタであって、
蓋体と、
前記フレキシブルフラットケーブルが設けられた基板と、前記基板に設けられた電極及び前記基板の両側に設けられた留め具を有する第１の接続ユニットと、
を備え、
前記電極の一端が前記ＬＥＤユニットに接続され、前記電極の他端が前記フレキシブルフラットケーブルの接触電極の一端又は直接的に前記フレキシブルフラットケーブルの導体に接続され、
前記フレキシブルフラットケーブルが有する前記接触電極の一部を覆うために、前記蓋体は前記第１の接続ユニットと接合されることを特徴とする光源コネクタ。
【手続補正書】
【提出日】令和2年10月21日(2020.10.21)
【手続補正１】
【補正対象書類名】実用新案登録請求の範囲
【補正対象項目名】請求項６
【補正方法】変更
【補正の内容】
【請求項６】
前記電極は、複数であり、リードを接続するために、又は前記リードと前記ＬＥＤユニットとを接続するために、前記複数の電極は、それぞれ前記基板の同一の側辺に設けられることを特徴とする請求項１に記載の光源接続モジュール。